(57)【要約】【課題】１８リットル缶等の上面（蓋）を、熟練していない作業者であっても、刃を汚すことなく、容易に短時間で奇麗に切り開くことができる切開用具を提供すること。【解決手段】１８リットル缶等の上面のコーナー部を切る突刺し部２１と、上面の直線部を切る皮すき部３１とを共に有し、更に把持部４１を有する缶の切開用具であって、該突刺し部２１は、先端が尖った刃２２を有し、該刃は、外径が１８リットル缶のコーナー部の曲率半径に略一致した半径ｒの円柱２５の側面に沿って曲がった形状をしており、該刃の高さＨが２０ｍｍ〜４０ｍｍであり、該刃の高さＨだけ缶に垂直に突刺されたところで刃の根元の両脇に設けられたストッパー部２３で停止するようになっており、該刃の根元の両脇を該円柱の中心から見込む角度αが実質的にコーナー部だけが切れるような小ささになっているものであることを特徴とする缶の切開用具。【選択図】図２
2016222282.tif 000002
【特許請求の範囲】
【請求項１】
１８リットル缶の上面のコーナー部と同様のコーナー部の形状を有する缶のコーナー部を切る突刺し部と、上面の直線部を切る皮すき部とを共に有し、更に把持部を有する缶の切開用具であって、
該突刺し部は、先端が尖った刃を有し、該刃は、外径が１８リットル缶の上面のコーナー部の曲率半径に略一致した半径ｒの円柱の側面に沿って曲がった形状をしており、該刃の高さＨが２０ｍｍ以上４０ｍｍ以下であり、該刃の高さＨだけ缶に垂直に突刺されたところで刃の根元の両脇に設けられたストッパー部で停止するようになっており、該刃の根元の両脇を該円柱の中心から見込む角度αが実質的にコーナー部だけが切れるような小ささになっているものであることを特徴とする缶の切開用具。
【請求項２】
上記突刺し部が有する上記刃の外面が、半径２０ｍｍ以上２４ｍｍ以下の円柱の側面に沿って曲がった形状をしている請求項１に記載の缶の切開用具。
【請求項３】
上記突刺し部が有する上記刃が、該刃の根元の両脇を該円柱の中心から見込む角度αが８０°以上９５°以下の範囲にあって、缶の上面のコーナー部に、上記突刺し部を上記ストッパー部まで突刺したときに、該コーナー部に沿って該コーナー部の略全部が切れるようになっている請求項１又は請求項２に記載の缶の切開用具。
【請求項４】
上記突刺し部が有する上記刃は、該刃の高さＨが２２ｍｍ以上３４ｍｍ以下のものである請求項１ないし請求項３の何れかの請求項に記載の缶の切開用具。
【請求項５】
上記円柱の中心軸と上記把持部の中心軸が実質的に同一の直線状にある請求項１ないし請求項４の何れかの請求項に記載の缶の切開用具。
【請求項６】
上記皮すき部が、上記把持部の中心軸に実質的に一致するように固定されている請求項１ないし請求項５の何れかの請求項に記載の缶の切開用具。
【請求項７】
上記皮すき部で缶の上面の右側の直線部を切っているときに、上記突刺し部の刃が缶の右側に避けられるように、該皮すき部を下にして見たときに該突刺し部の刃を上記中心軸に対して右側に有する請求項１ないし請求項６の何れかの請求項に記載の缶の切開用具。
【請求項８】
硬化性樹脂又は硬化性樹脂の溶液を収納した、１８リットル缶の上面のコーナー部と同様のコーナー部の形状を有する缶の上面を切るためのものである請求項１ないし請求項７の何れかの請求項に記載の缶の切開用具。
【発明の詳細な説明】
【技術分野】
【０００１】
本発明は、「１８リットル缶の上面のコーナー部と同様のコーナー部の形状を有する缶」の切開用具に関し、更に詳しくは、作業性が大幅に改善された缶の切開用具に関するものである。
【背景技術】
【０００２】
「１８リットル缶の上面のコーナー部と同様のコーナー部の形状を有する缶」（以下、本発明において「    」部分を単に「１８リットル缶等」と略記する）は、化学品製造業界、建設業界、食品業界等多くの業界で、内容液を保管したり、内容液を運搬（移動）したり、内容液を使用する際に容器としてそのまま使用したりして、極めて幅広く使用されている。
【０００３】
具体的には、内容物を限定せずに１８リットル缶全体では、年間、１億８６００万缶以上（平成１６年、全国１８リットル缶工業組合連合会）が使用されている。
例えば、屋上等の防水工事用等のウレタン塗膜防水材料に限定したとしても、日本国内のみで年間４万トン以上が使用されているので、その殆ど全てが１８リットル缶で供給されていることを鑑みると、日本国内のみで年間約２８０万缶が使用されていることになる。
また、１つの現場単位で見ても、平均で５０〜２００缶の防水加工用等のウレタン塗膜防水が入った１８リットル缶が使用されている。
【０００４】
しかも、ウレタン塗膜防水工事に使用する際は、殆どの作業者は、主剤及び硬化剤からなる内容液を上面（蓋）のない別容器に移し替え、混合撹拌した後に、清掃した１８リットル缶等に再度戻して現場内の運搬及びネタ配りの容器として用いる場合が多く、そのために１８リットル缶等の上面の４辺の内の３辺のみを完全に切り開いて使用している。
そして、殆どの作業者は、図６（ａ）に示したような皮すきを用いて、コーナー部と直線部を切開しているのが現状である。
【０００５】
しかしながら、熟練した作業者ならば、皮すきでも、むしろ皮すきのような単純な用具の方が、コーナー部を含めて上面を短時間で奇麗に切り開くことができるが、コツと力を要する。また、熟練した作業者でも、１８リットル缶等に入った原料を使用して製品をトン単位で製造する化学工場等では、多量の缶を連続で開ける必要があるため、後半は疲労が蓄積し、時間を要したりする。
【０００６】
従って、この１８リットル缶等の上面が、作業初心者、不器用な作業者、非力な作業者、多量の缶を開ける作業者等でも容易に短時間で奇麗に切れるようになれば、作業性が著しく向上し、日本国内のみでも前記した通り年間１億８６００万缶以上の１８リットル缶が使用されているので、全体での開缶の作業時間が大きく節約できる。
【０００７】
１８リットル缶等の上面の切開に関しては、テコの原理を利用した小型の缶切りは、切る速度が遅い、指が疲れる等のために、殆どの業界の現場・作業場で使い物にならず、実際殆ど使用されていない。
そこで、例えば、特許文献１〜９等には、小型の缶切り以外の「１８リットル缶の切開用具」に関する技術が開示されている。
【０００８】
特許文献１、２には、使用済みの空の１８リットル缶を切り畳んで捨て易くする切開用具が記載されている。
しかしながら、これらは、１８リットル缶を畳み易くするために、空の１８リットル缶の上面と下面を斜めに切るものであり、上面の縁に沿って奇麗に切開し、１８リットル缶を容器として使用するためのものではなかった。しかも、何れも刃の高さが長いものであり（特許文献１では、ストロークが２０〜３０ｃｍ）、内容液の入った１８リットル缶に使用すると、刃が内容液に浸かるようなものであった。
【０００９】
使用前の１８リットル缶の上面を切る切開用具が記載されたものとして特許文献３〜９がある。
しかしながら、特許文献３の切開用具は、刃の高さが長く刃が内容液に浸かる所謂Ｖカッターであり、しかも上面の一部だけを切るものであって、上面の縁に沿って例えば３辺を奇麗に切開するようなものではなかった。
また、特許文献４の切開用具は、上面（天板）の縁に沿って切開するものではあるが、テコの原理を利用したものであり、前記問題点が残存すると共に、コーナー部の切開については考慮されておらず、容器として使用するに十分なコーナー部の奇麗な切開ができないものであった。
また、特許文献５、６に記載の切開用具（開蓋工具）は、コーナー部を引き起こして（引き裂いて）、巻き取るように又は引き起こすように開蓋するものであり、操作が複雑であり作業性に問題があり、簡単に使いこなせるものではなかった。
【００１０】
比較的簡易に１８リットル缶の上面を切るものが記載されたものとして特許文献７〜９がある。
しかしながら、特許文献７に記載の切開用具は、コーナー部の切開も考慮されてはいるが、刃の高さが長く、刃が内容液に浸かってしまう所謂広義のＶカッターであり、しかも上面の１辺だけを切るものであって、他の２辺が奇麗に切開できるようなものではなかった。
また、特許文献８や特許文献９に記載の用具（開缶装置、開缶用カッター）も所謂Ｖカッターであり（図６（ｂ）にも記載）、刃が容易に缶内に入るように刃先が鋭角になっており、そのため必然的に刃の高さが長くなり、結果として刃が内容液に浸かってしまうものであった。
【００１１】
刃が内容液に浸かってしまう所謂Ｖカッターは、例えば内容液が天ぷら油等である食品業界等では使用できるものの、内容液が硬化性樹脂等であることの多い建設業界（特にウレタン防水材等を頻繁に使用する屋上等の防水施工業界等）では、刃が内容液に浸かってしまうとウレタン硬化材が刃に付着したままウレタン主剤の缶を開けることになり、刃に付着した樹脂を取り除くことが極めて困難になる。
従って、Ｖカッターのように刃が内容液に浸かってしまうものは、建設業界では、到底使用できるものではなかった。
【００１２】
また、特許文献８と特許文献９は、何れもガイド手段、刃身カバーに特徴があり、刃を垂直に入れたり、刃がずれないようにしたりして、安全性を向上させたものであり、作業者がコーナー部と直線部を極めて簡便に奇麗に切り開く用具ではなかった。
【００１３】
近年、作業現場では、作業初心者、不器用な作業者、非力な作業者等が多くなり、熟練作業者が図６（ａ）に示したような皮すき１つで器用に素早く１８リットル缶を切開することに頼っていられない状況にある。
そこで作業の効率化は必要ではあるが、前記公知技術では不十分であり、更なる改善の余地があった。
【先行技術文献】
【特許文献】
【００１４】
【特許文献１】実公昭６３−０２８１５７号公報
【特許文献２】実用新案登録第３０５６０８７号公報
【特許文献３】実開平６−０１８２９８号公報
【特許文献４】特開２００５−３０６３９８号公報
【特許文献５】特開２００５−０８２２３０号公報
【特許文献６】特開２００６−０１６０２０号公報
【特許文献７】実開平６−０７６１９２号公報
【特許文献８】実公平４−０３０１５７号公報
【特許文献９】実開平５−０９５９００号公報
【発明の概要】
【発明が解決しようとする課題】
【００１５】
本発明は上記背景技術に鑑みてなされたものであり、その課題は、１８リットル缶等の上面（蓋）を、熟練していない作業初心者や不器用な作業者であっても、刃を内容液で汚すことなく、容易に短時間で奇麗に切り開くことができる切開用具を提供することにある。
【課題を解決するための手段】
【００１６】
本発明者は、前記の問題点や課題を解決すべく鋭意検討を重ねた結果、１つの切開用具の中にコーナー部を切るための部分と、上面の直線部を切るための部分の両方を有し、かつコーナー部を切るための部分の刃の形態を特定のものとすることによって、熟練作業者でなくても、刃を汚すことなく容易に短時間で、１８リットル缶等の上面（蓋）を奇麗に切り開くことができることを見出して本発明を完成するに至った。
【００１７】
すなわち、本発明は、「１８リットル缶の上面のコーナー部と同様のコーナー部の形状を有する缶」（以下、本発明において「    」部分を単に「１８リットル缶等」と略記する）のコーナー部を切る突刺し部と、上面の直線部を切る皮すき部とを共に有し、更に把持部を有する缶の切開用具であって、
該突刺し部は、先端が尖った刃を有し、該刃は、外径が１８リットル缶の上面のコーナー部の曲率半径に略一致した半径ｒの円柱の側面に沿って曲がった形状をしており、該刃の高さＨが２０ｍｍ以上４０ｍｍ以下であり、該刃の高さＨだけ缶に垂直に突刺されたところで刃の根元の両脇に設けられたストッパー部で停止するようになっており、該刃の根元の両脇を該円柱の中心から見込む角度αが実質的にコーナー部だけが切れるような小ささになっているものであることを特徴とする缶の切開用具を提供するものである。
【発明の効果】
【００１８】
本発明によれば、前記問題点と課題を解決し、たとえ熟練していない作業者であっても、刃を内容液で汚すことなく、容易に短時間で奇麗に切り開くことができる１８リットル缶等の簡便な切開用具を提供することができる。
【００１９】
１８リットル缶等の上面（蓋）は、熟練作業者であれば、例えば該熟練作業者が右利きの場合、左足を１８リットル缶等の上面に乗せて、切開部分が右側に来るように該１８リットル缶等を固定し、野球のバットを持つように右手と左手で皮すき（例えば図６（ａ）参照）を持って力を入れて押すようにして、約１０秒で１８リットル缶等の上面の４辺の内の３辺のみを完全に切り開くことができる。なお、３辺を完全に切り開くのは、１８リットル缶等をそのまま容器として使用するためであり、４辺のうち１辺を残すのは、残りの１辺を持って缶を移動し易くするためである。
【００２０】
例えば、防水加工用の硬化性塗料が入っている１８リットル缶等の切開に関しては、長年殆ど全ての現場で、例外なくこの方法が用いられてきている。
特に熟練作業者にとっては、この方法が作業性を考えたときに最も好ましいからであり、それが常法となってしまった以上、熟練作業者にとっても、そうでない作業者にとっても、この切開方法から大きく逸脱した切開方法に用いられる用具の使用はあり得ない（受け入れられない）。
【００２１】
従って、挿入ガイド、刃を真っ直ぐ入れる固定装置、安全装置、電動装置、１８リットル缶等を固定する固定部材等を具備した複雑な切開用具は、今後・将来を考えても、到底、現場では受け入れられないものである。
すなわち、熟練作業者が減少したと言っても、作業初心者、不器用な作業者、非力な作業者、多量の缶を開ける必要のある作業者等を対象にした、上記したような複雑な部材・装置を具備した切開用具や、２つの用具を持ち替えて使用すると言った面倒な切開用具は通用し得ない。
【００２２】
熟練した作業者ならば、皮すきのような簡単な用具でも、１８リットル缶等の上面（蓋）を短時間で奇麗に切り開くことができる場合があるが、熟練していない作業者の場合、短時間で奇麗に切り開くことができなかった。
また、熟練した作業者が皮すきのような簡単な用具を使用するのは、むしろ皮すきのような単純な用具の方が、使い易く便利であり、用具が内容液に浸かることもなく、けれん掛け等の他用途にも汎用性があるからである。従って、このような簡便さをも維持した使用し易い切開用具が求められている。
【００２３】
本発明は、上記したような極めて限られた条件の基に（条件を満たすように）なされたものであり、１つの用具であり、しかも上記した複雑で余計な部材・装置を具備していないので、現場で抵抗なく受け入れられるものである。
しかも熟練作業者でなくても容易に短時間で奇麗に、１８リットル缶等の上面（蓋）を切り開くことができ、また熟練作業者にとっても、従来法に対して面倒な付随手段をあまり加えずに、より容易に、より奇麗に、コーナー部はより力を入れずに、１８リットル缶等の上面（蓋）を切り開くことができる。
【００２４】
前記特許文献や図６（ｂ）に記載の所謂Ｖカッターは、上面を切開する際に刃が内容液に浸漬しても容易に拭き取ることができる例えば食品業界等で使用される場合は問題がなかった。
しかしながら、特に、１８リットル缶等の内容液が「屋上等の防水加工用等の硬化性塗料」等である場合、刃に該内容液が付着すると、作業を中止して直ぐに拭き取る必要があり、拭き取りを怠ると、刃に付着した硬化性樹脂が硬化して切開用具が使用できなくなる又は切開用具から硬化樹脂を除去するのに長時間を要することになる。
【００２５】
また、図７に示したようなコーナー部の切開に特化した切開用具は、直線部を切るときに用具を持ち替える必要があり、そのため、熟練した作業者が短時間で、皮すきだけでコーナー部も直線部も切開することが常態化した作業現場に、到底受け入れられるものではない。
しかも、図７に示す用具には、後述するストッパー部がないので、刃が内容液に到達（浸漬）して後述する障害が起こる。
【００２６】
本発明によれば、刃の高さが２０ｍｍ以上４０ｍｍ以下に限定されており、かつストッパー部を有しているので、急いで作業をした場合等でうっかり力を入れ過ぎても、刃が内容液に到達して内容液に浸漬することがない。
本発明の切開用具を用いれば、刃が硬化性樹脂（溶液）に浸漬することがないため上記障害は起こり得ず、従って、本発明の切開用具は、内容液が硬化性塗料である「屋上等の防水加工（施工）用」として特に上記効果を発揮する。
【００２７】
１８リットル缶等の場合、図５（ｃ）（ｄ）（ｅ）に示したように、奇麗に切れずコーナー部に天板（上面）の一部が残ると、そこに内容液が付着し、特に粘度が高い樹脂の場合は多く付着し、硬化性樹脂の場合は硬化して取れ難くなり、撹拌にも支障をきたし、他の容器に注ぐ時も注ぎ難く、残った天板（上面）で手を切る場合もある。
本発明によれば、熟練作業者でなくてもコーナー部も縁（ｒ＝２２．０ｍｍ）に沿って奇麗に切開できるので上記障害が生じない。
【００２８】
前記した通り、１８リットル缶全体では、日本国内のみでも、年間１億８６００万缶以上（平成１６年、全国１８リットル缶工業組合連合会）が使用されており、防水加工用のウレタン塗膜防水材料が入った１８リットル缶に限定しても、日本国内のみで年間２８０万缶が使用されており、１つの現場単位で見ても、平均で５０〜２００缶の１８リットル缶が使用されている。
従って、本発明の切開用具によれば、１つの現場の更には全国の現場のトータルの作業時間の大きな短縮が図れる。
【図面の簡単な説明】
【００２９】
【図１】本発明の切開用具の一例を示す図である。  （ａ）平面図  （ｂ）左側面図  （ｃ）底面図  （ｄ）右側面図
【図２】本発明の切開用具の一例を示す斜視図である。
【図３】代表的な１８リットル缶の上面を示す概略図である（図中の数字の単位は「ｍｍ」である）。
【図４】本発明の切開用具の突刺し部を刃先の側から見た概略図である。  （ａ）直線部切開刃がない場合  （ｂ）直線部切開刃がある場合
【図５】１８リットル缶等のコーナー部の形状、及び、突刺し部を１８リットル缶等のコーナー部に突刺して生じた切開穴の形状を示す図である。  （ａ）コーナー部の形状  （ｂ）本発明の切開用具の突刺し部を突刺した切開穴が良好な場合の一例（ｒ＝２２．０ｍｍ、α＝９０°）  （ｃ）〜（ｅ）切開穴が不良の場合
【図６】１８リットル缶等の上面を切る従来の用具を示す図である。  （ａ）皮すき  （ｂ）Ｖカッター
【図７】丸穴を開ける従来の切開用具の形態を示す図である。
【発明を実施するための形態】
【００３０】
以下、本発明について説明するが、本発明は、以下の具体的形態に限定されるものではなく、技術的思想の範囲内で任意に変形することができる。
【００３１】
本発明の「缶の切開用具」（以下、括弧内を単に「切開用具」と略記する場合がある）は、
「１８リットル缶の上面のコーナー部と同様のコーナー部の形状を有する缶」（１８リットル缶等）の上面のコーナー部を切る突刺し部と、上面の直線部を切る皮すき部とを共に有し、更に把持部を有する缶の切開用具であって、
該突刺し部は、先端が尖った刃を有し、該刃は、外径が１８リットル缶の上面のコーナー部の曲率半径に略一致した半径ｒの円柱の側面に沿って曲がった形状をしており、
該円柱の中心軸と該把持部の中心軸は実質的に同一の直線状にあり、
該刃の高さが２０ｍｍ以上４０ｍｍ以下であり、該刃の高さだけ缶（１８リットル缶等）に垂直に突刺されたところで刃の根元の両脇に設けられたストッパー部で停止するようになっており、
該刃の根元の両脇を該円柱の中心から見込む角度が実質的にコーナー部だけが切れるような小ささになっているものであることを特徴としている。
【００３２】
「１８リットル缶」は、一斗缶、石油缶等とも呼ばれ、約１８Ｌの液体を内容液として収容するものであり、溶接缶、アトロン缶、内面にポリエチレン等がラミネートされているハイブリッド缶、エフティー缶、イービー缶等を含むものである。
１８リットル缶の上面の概略と各部分の代表的な長さを図３に示し、１８リットル缶のＪＩＳ規格を以下の表１に示す。
【００３３】
【表１】
2016222282.tif 000003
【００３４】
上面から液面までの距離（以下、「空隙距離」と略記する）は、内容液を丁度１８Ｌ（１８０００ｃｍ３）入れた場合、およそ以下の通りである。
底面積  ：２３．８ｃｍ×２３．８ｃｍ＝５６６ｃｍ２
（体積  ：５６６ｃｍ２×３４．９ｃｍ＝１９７７０ｃｍ３）
液面高さ：１８０００ｃｍ３／５６６ｃｍ２＝３１．８ｃｍ
空隙距離：３４．９ｃｍ−３１．８ｃｍ＝３．１ｃｍ
【００３５】
また、切開の対象となる「１８リットル缶の上面のコーナー部と同様のコーナー部の形状を有する缶」（１８リットル缶等）の上面のコーナー部」の曲率半径は、製造会社ごとの型番にもよるが、多くが２２ｍｍであり、殆どの１８リットル缶等の上面のコーナー部は２２．０ｍｍである。
本発明の「缶の切開用具」は、「１８リットル缶等」、すなわち「１８リットル缶の上面のコーナー部と同様のコーナー部の形状を有する缶」のコーナー部を切開することに使用される。ここで、「１８リットル缶の上面のコーナー部と同様のコーナー部の形状を有する缶」（１８リットル缶等）としては、所謂「１８リットル缶」の他にも、所謂「９リットル缶」、所謂「６リットル缶」等が挙げられる。
【００３６】
図１及び図２に本発明の切開用具１１の概略図を示す。
本発明の切開用具１１は、１８リットル缶等５１の上面のコーナー部５２を切る突刺し部２１と、上面の直線部５３を切る皮すき部３１とを共に有し、更に把持部４１を有している。
【００３７】
本発明における該突刺し部２１は、先端が尖った刃２２を有し、該刃２２は、外径が１８リットル缶等５１の上面のコーナー部５２の曲率半径に略一致した半径ｒの円柱２５の側面に沿って曲がった形状をしていることが必須である。
上記突刺し部２１の刃２２は先端が尖っている。該刃先２４が尖っていると、１８リットル缶等５１のコーナー部５２に突刺し易くなる
【００３８】
１８リットル缶等５１のコーナー部５２の曲率半径は、上記した通り２２ｍｍ（殆どが２２．０ｍｍ）であるので、本発明の切開用具１１においては、上記突刺し部２１が有する上記刃２２の外面が、半径２０ｍｍ以上２４ｍｍ以下の円柱２５の側面に沿って曲がった形状をしていることが好ましい。
より好ましくは２０．５ｍｍ以上２３．５ｍｍ以下であり、特に好ましくは２２ｍｍ以上２３ｍｍ以下であり、更に好ましくは２１．５ｍｍ以上２２．５ｍｍ以下である。
上記範囲であると、図５（ｂ）に示した通り、コーナー部５２の側面の内側に沿って奇麗に穴を開ける（切開する）ことができる。
【００３９】
上記突刺し部２１の刃２２が、半径ｒが小さ過ぎる円柱２５の側面に沿って曲がっていると、図５（ｃ）に示したように、コーナー部５２の両端で、切開穴６１が１８リットル缶等５１の上面の側面から離れ、そこから皮すきで直線部５３を切り始めることになり、コーナー部５２の両端に上面板（天板）の切残しが生じる場合がある。
一方、上記突刺し部２１の刃２２が、半径ｒが大き過ぎる円柱２５の側面に沿って曲がっていると、図５（ｄ）に示したように、コーナー部５２の真中付近に上面板（天板）の切残しが生じる場合がある。
何れの場合も、コーナー部５２に天板（上面）の一部が残り、そこに内容液が付着し、粘度が高い硬化性樹脂の場合それらはより問題であり、また手を切る恐れもある等、前記した問題が生じる場合がある。
【００４０】
皮すきでコーナー部５２を縁に沿って素早く奇麗に切開することは、熟練作業者でなければできないところ、本発明によれば、コーナー部５２に、「本発明における特定の突刺し部２１」を突刺すだけなので、熟練作業者でなくても誰でも縁に沿って奇麗に切開（穴を開けることが）できる。
本発明の切開用具１１には、刃２２の根元の両脇に設けられたストッパー部２３があり、本発明の切開用具の刃２２の高さ（２０ｍｍ〜４０ｍｍ）だけ１８リットル缶等５１に垂直に突刺されたところで停止するようになっている。従って、もし該ストッパー部２３がなく、そのまま刃２２が円柱２５の側面に沿って延長していたとしたら、深く突刺せば図５（ｅ）のようになり、浅く突刺せば十分に（９０°に亘って全部）コーナー部５２が切開できないことになる。
【００４１】
本発明の切開用具１１には上記ストッパー部２３があるので、作業者は１８リットル缶等５１のコーナー部５２に対し突刺し部２１を該切開用具１１が該ストッパー部２３で止まるまで上から突刺すだけなので、突刺す力や速度を調節しなくても、所定の位置まで突刺されたところで、突刺し部２１の刃２２は停止する。
従って、突刺し部２１の形態すなわち刃２２の形態を最適範囲に決めておけば、誰でも容易に図５（ｂ）に示したような切開穴６１を開けることができる。
【００４２】
本発明の切開用具１１では、上記円柱２５の中心軸と把持部４１の中心軸４２は、図１、２に示したように、実質的に同一の直線状にあることが好ましい。すなわち、本発明における突刺し部２１は、「刃がそれに沿って曲がっている円柱」の中心軸と、「把持部」の中心軸４２とは、実質的に一致していることが好ましい。
上記２つの中心軸が同一の直線状にあると、作業者が把持部４１を握って又は把持部４１の端に手を当てて、切開用具１１を上から突刺したときに、捻じれたりずれたりしないで容易に、１８リットル缶等５１のコーナー部５２に丁度、切開穴６１を開けることができる。
また、固定ボルトナット３３で、上記円柱２５を把持部４１の延長部分に固定すればよいので、構造や外観がシンプルになったり製造し易くなったりする。
ここで、上記「実質的に一致」とは、切開用具１１を上から突刺したときに、捻じれたりずれたりしない程度に一致していることを意味する。従って、前記刃先２４から上記円柱２５の中心までの何処かの位置が、該把持部４１の中心軸４２上にあっても、突刺したときに捻じれたりずれたりしない程度に一致していればよい。
【００４３】
本発明の切開用具１１においては、上記刃の高さＨは、２０ｍｍ以上４０ｍｍ以下であり、該刃の高さＨだけ１８リットル缶等５１に垂直に突刺されたところで刃２２の根元の両脇に設けられたストッパー部２３で停止するようになっている。すなわち、上記突刺し部２１の刃２２は、１８リットル缶等５１の下、２０ｍｍ以上４０ｍｍ以下の範囲に突き刺さったところで停止するようになっている。
ここで、「刃の高さＨ」とは、図１（ｂ）（ｄ）に示した通り、上記円柱２５の「刃２２の占めている部分の高さ」を言う。
【００４４】
該刃の高さＨは２０ｍｍ以上４０ｍｍ以下が必須であるが、２１ｍｍ以上３８ｍｍ以下が好ましく、２２ｍｍ以上３４ｍｍ以下がより好ましく、２３ｍｍ以上３１ｍｍ以下が特に好ましく、２４ｍｍ以上２９ｍｍ以下が更に好ましい。
該刃の高さＨの上限が上記以下であると、１８リットル缶等５１の上面から突刺される距離が、１８リットル缶等５１の上面から内容液の液面までの距離（空隙距離）より短くなり易く、従って、該刃２２が内容液に浸らなくなり易い。なお、前記した最も一般的な「空隙距離」３．１ｃｍは、内容液の比重や内容液量を１８Ｌより多少増減する可能性を考慮すると誤差があるものであり、従って刃の高さＨが上記上限以下であれば、ストッパーで停止するまで完全に該刃２２を突刺したときに、該刃２２が内容液に浸らない場合があるので望ましい。
【００４５】
一方、該刃の高さＨの下限が上記以上であると、刃先２４の角度が十分小さくなり、１８リットル缶等５１の上面に突刺し易くなる。すなわち、該刃の高さＨが小さ過ぎると、後記する「刃が該刃の根元の両脇を上記円柱の中心から見込む角度α」（図４（ａ）参照、以下、単に「α」と略記する場合がある）は、実質的にコーナー部５２が切れるように（好ましくは、８０°以上９５°以下に）限定されているので、必然的に刃先２４の角度が大きくならざるを得ず、１８リットル缶等５１の上面に突刺し難くなる。
【００４６】
本発明の切開用具１１の突刺し部２１は、該突刺し部２１が有する刃の高さＨだけ１８リットル缶等５１に垂直に突刺されたところで、該刃２２の根元の両脇に設けられたストッパー部２３で停止するようになっている。
これによって、いくら力を入れても、上記「刃の高さＨ」だけ突刺されたところで、切開用具１１（の突刺し部２１）は停止し、それ以上突刺されて該刃２２が内容液に浸ることがない。
【００４７】
上記ストッパー部２３は、少なくとも、上記刃２２の根元の両脇に設けられて、ストッパーとしての役目を果していればよく、該刃２２と（すなわち上記円柱２５と）一体のものであっても、別途設けられていてもよいが、図１、２、４に示した通り、該ストッパーは、該刃２２と（すなわち上記円柱２５と）一体のものであることが好ましい。一体のものであると、製造がし易く、該刃２２が途切れるところ（刃２２の根元の両脇）で丁度止まるようにし易い。
【００４８】
該突刺し部２１は、該刃２２の根元の両脇を該円柱２５の中心から見込む角度αが、実質的にコーナー部５２だけが切れるような小ささになっているものであることを特徴とする。図４は該突刺し部２１を刃先２４の方から見た概略図である。角度αを図４（ａ）に示した。
αが実質的にコーナー部５２のみならず直線部５３の方まではみ出して切れるような大きさなっていると、図５（ｅ）に示したように、切開穴６１が長くなり過ぎ、切開穴６１の（両）末端が、１８リットル缶等５１の縁から離れてしまい、皮すきで直線部５３を切りだした際に、奇麗に縁に沿って切開できない場合がある。また、刃先２４を尖らせようとすると、αが大きいので刃の高さＨを大きくせざるを得ず、突刺し部２１を突刺したときに刃先２４が内容液に浸る場合がある。
【００４９】
「図４に示した切開穴６１が開き易い突刺し部や刃」における「αとｒ」については、図５（ｂ）（ｒ＝２２ｍｍ、α＝９０°）のようになることが好ましく、図５（ｃ）（ｄ）（ｅ）は、縁に沿って奇麗に切れないので、内容液が付着し易い、手を切り易い等、前記した問題点が生じ易い場合がある。
なお、図５におけるｒとαは以下の通りである。
図５（ｂ）：ｒ＝２２ｍｍ、α＝９０°
図５（ｃ）：ｒ＜２２ｍｍ、α＝９０°
図５（ｄ）：ｒ＞２２ｍｍ、α＝９０°
図５（ｅ）：ｒ＝２２ｍｍ、α＞９０°
【００５０】
本発明の切開用具１１においては、上記突刺し部２１が有する上記刃２２は、上記αが８０°以上９５°以下の範囲にあって、１８リットル缶等５１の上面のコーナー部５２に、上記突刺し部２１を上記ストッパー部２３まで突刺したときに、該コーナー部５２に沿って該コーナー部５２の略全部が切れるようになっていることが好ましい。
【００５１】
αは、より好ましくは８３°以上９３°以下、特に好ましくは８６°以上９２°以下、更に好ましくは８８°以上９１°以下、最も好ましくは９０°である。
αが上記範囲に入っていると、図５（ｂ）に示した通り、コーナー部５２のみが１８リットル缶等５１の上面の縁の内面に沿って奇麗に切れる（切開穴６１が開けられる）。
具体的には、αが大き過ぎると（図５（ｅ））、前記した問題が生じる場合があり、一方、小さ過ぎると（図示せず）、コーナー部５２に沿って該コーナー部５２の略全部が切れずコーナー部５２に切残しができるので、皮すき部３１で直線部５３を切りだし難かったり、（特に熟練者でない場合）縁に沿って奇麗に切れなかったりする場合がある。
【００５２】
後記するように、皮すき部３１を時計の６時の方向（下側）に向くようにしたときに（図１（ｂ）に示す）、上記突刺し部２１の刃２２の根元の両脇を上記円柱２５の中心から見込む角度αが、時計の３時の方向（右側）を中心に角度９０°から、−１０°〜＋５°の範囲にあることが好ましく、−７°〜＋３°の範囲にあることがより好ましく、−４°〜＋２°の範囲にあることが特に好ましく、−２°〜＋１°の範囲にあることが更に好ましい（図４（ａ）参照）。
【００５３】
本発明で「コーナー部」とは、１８リットル缶等５１の４隅の円形に曲がった部分を言う。従って、上記αは９０°が最も好ましいが、切開穴６１の形状は、突刺し角度等の突刺し方、ストッパーは存在するものの突刺す力、作業者の癖、等である程度は変わり得る。前記したαの好ましい範囲、αの特に好ましい範囲等は幅があるが、それは上記理由による。
【００５４】
突刺し部２１は、先端が尖った刃２２を有しており、「刃の高さＨ」、「刃が該刃の根元の両脇を上記円柱の中心から見込む角度α」の規定は上記した通りであるが、該刃２２の形状には特に限定はなく、該刃２２がその側面を形成している円柱２５の側面を平面状に開いたときに、該刃２２の形状が、（Ａ）刃先２４を頂点とする略二等辺三角形でもよいし、（Ｂ）刃先２４を頂点とし２個の等辺が三角形の内部に向かって窪んだようになっていて刃先２４がより尖るようになっていてもよいし、（Ｃ）逆に刃先２４を頂点とし２個の等辺が三角形の外部に向かって膨らんだようになっていて刃先２４がより尖らないようになっていてもよい。
本発明においては、ｒの範囲とＨの上限とαの範囲が前記した通り規定されており、すなわち、二等辺三角形の高さが限定されているので、なるべく刃先２４を尖らすために、（Ａ）又は（Ｂ）が好ましい。更に、刃２２の先端付近の強度の点等からは（Ａ）が好ましく、刃２２の突刺し易さの点等からは（Ｂ）が好ましい。
すなわち、（Ｂ）とすることで、コーナー部５２が切れるように、１８リットル缶等５１の上面に突刺し易くすることが可能となる。
【００５５】
また、本発明におけるαは、図５（ｅ）のようにコーナー部から内部にはみ出して切開されないように、実質的にコーナー部だけが切れるような小ささになっているが、図４（ｂ）に示したように、直線部を切る直線部切開刃２６が、刃２２の両脇にあってもよい。直線部切開刃２６があっても、刃の高さＨは、刃２２の先端が内容物に浸漬しないように定められる。
中心軸４２から直線部切開刃２６の両脇を見込む角度βは、９２°〜１６０°が好ましく、９６°〜１４０°がより好ましく、１００°〜１２０°が特に好ましい。
【００５６】
突刺し部２１には、後記する把持部４１に該突刺し部２１を固定し易いように、治具や固定部材があってもよい（図示せず）。
該突刺し部２１は、公知の方法で固定される。該突刺し部２１は、例えば固定ボルトナット３３で把持部４１に固定されることが好ましく、また後記する皮すき部３１と共に、例えば固定ボルトナット３３等で把持部４１に同時に固定されることが、構成部品数の削減と製造のし易さから特に好ましい（図１、図２参照）。
【００５７】
本発明の切開用具１１は、「１８リットル缶等の上面のコーナー部５２を切る突刺し部２１」と「１８リットル缶等の上面の直線部５３を切る皮すき部３１」とを、１つの切開用具１１中に共に有することを特徴とする。
１つの切開用具１１が上記両方の部分を共に有することによって、作業者が切開用具１１を持ち替える必要がなく、従来、熟練した作業者が皮すき１つでコーナー部５２も直線部５３も切開していたのと作業的には全く同じように、たとえ熟練した作業者でなくても、コーナー部５２も直線部５３も素早く奇麗に切開ができる。また、熟練した作業者にとっても、余計な器具や余計な機能が付与されていないので、従来の皮すきの感覚で作業が複雑化せずに、しかも作業が確実で容易になる。
【００５８】
上記皮すき部３１の形状、切開用具１１への取り付け位置と方向、刃の有無等は、特に限定はないが、好ましい形態の一例を、図１（ａ）、図１（ｃ）及び図２に示す。
【００５９】
皮すき部３１の形状は、特に限定はないが、多少張り出しや引っ込みがあってもよい略三角形又は略四角形であることが好ましく、図１（ａ）、図１（ｃ）及び図２に示したもののように、略四角形であることが特に好ましい。
また、コーナー部５２に開けられた切開穴６１に差し込み易いように、鋭角部分を有することが好ましい。該鋭角部分は尖っていてもよいし尖っていなくてもよい。
図６に示したような従来の皮すきの鋭角部分に近似していることが、作業者に用具の変更による違和感を与えないために好ましい。鋭角部分の角度は、具体的には、３０°〜８５°が好ましく、４０°〜７０°がより好ましく、４５°〜６０°が特に好ましい。この範囲であれば、強度や耐久性、直線部５３の切り易さ（使い易さ）等を発揮する。
【００６０】
皮すき部３１の切開用具１１への取り付け位置と方向は、特に限定はないが、好ましい形態の一例を、図１（ａ）、図１（ｃ）及び図２に示す。
該皮すき部３１は、該把持部４１の中心軸４２に実質的に一致するように固定されていることが、該把持部４１を持って、１８リットル缶等５１の上面の直線部５３を手前から押しながら切るときに、力が片方に分散されず、皮すき部３１の平面が左右に倒れることがなく、捻じれることもなく、全ての力が直接皮すき部３１にかかるので好ましい。
【００６１】
上記皮すき部３１で１８リットル缶等５１の上面の右側の直線部５３を切っているときに、上記突刺し部２１の刃２２が、１８リットル缶等５１の右側に避けられるように、該皮すき部３１を下にして見たときに該突刺し部２１の刃２２を上記中心軸に対して右側に有するような形態が好ましい。
言い換えれば、図１（ｂ）に示した通り、突刺し部２１の刃２２が時計の３時の方向（右側）に向くようにしたときに、皮すき部３１が時計の６時の方向（下側）に向くように皮すき部３１を設置することが好ましい。
通常、右利きの作業者は、左足を１８リットル缶等５１の上に乗せて１８リットル缶等５１を固定し、右手と左手で野球のバットを持つように把持部４１を握り、該皮すき部３１を下に向けて、直線部５３を切開する。その際、突刺し部２１の刃２２が上記方向（上記側）にあれば、突刺し部２１が１８リットル缶等５１の該直線部５３の右側に避けられ、該突刺し部２１が切開の邪魔にならない。
なお、左利き用の切開用具１１の場合は、好ましい方向は上記の逆であるが、右利きの人が多いという理由から上記方向（側）が好ましい。
【００６２】
皮すき部３１に関しては刃の有無は特に限定はないが、図１（ｃ）及び図２に示す通り、直線部５３を容易に切るために、皮すき部刃３２があることが好ましい。該皮すき部刃３２の鋭利さは、通常の皮すき（図６（ａ）参照）程度の刃の鋭利さであればよく、前記した突刺し部２１の刃２２ほど鋭利である必要はない。
【００６３】
皮すき部３１には、後記する把持部４１に該皮すき部３１を固定し易いように、皮すき部固定部３４等の治具や固定部材があってもよい（図１参照）。
該皮すき部３１は、公知の方法で固定される。該皮すき部３１は、例えば固定ボルトナット３３で把持部４１に固定されることが好ましく、また前記した突刺し部２１と共に、例えば固定ボルトナット３３等で把持部４１に同時に固定されることが、構成部品数の削減と製造のし易さから特に好ましい（図１、図２参照）。
【００６４】
本発明の切開用具１１は、突刺し部２１と皮すき部３１とを共に有し、更に把持部４１を有する。
該把持部４１は、コーナー部５２を切開するときは突刺すために作業者が把持し、直線部５３を切開するときは、通常は手前から押すようにして切開するために作業者が把持する。
該把持部４１には、滑り難くするためや握り易くするために、凹凸又は波打ちがあってもよく、図１又は図２に示したような波打ちがあることが好ましい。該把持部４１の表面は滑り止め加工が施されていてもよい。
【００６５】
該把持部４１には、握止４３があって、突刺し部２１をコーナー部５２に突刺したり、皮すき部３１で直線部５３を切開したりし易いようになっていることが好ましい。該握止４３は、刀の鍔（つば）のように、把持部４１の全周に亘って存在していてもよいし、図１（ｂ）（ｄ）又は図２に示すように、一方に存在していてもよい。
握止４３は、図１（ｂ）（ｄ）や図２に示すように、突刺し部２１の刃先２４の真っ直ぐ手前側の把持部４１にあると、力が垂直に直接伝わり、突刺し部２１をコーナー部５２に突刺し易くなるために好ましい。
また、握止４３は、右利きの人が皮すき部３１を下にして、把持部４１を、バットを握るように握ったときに、図１（ｂ）に示すように、把持部４１の右側にあると、該皮すき部３１を押して直線部５３を切るときに、右手の人差指から力が直接伝わり、該直線部５３が切り易くなるために好ましい。
【００６６】
本発明の切開用具１１の材質は特に限定はないが、突刺し部２１の材質は、ステンレス；鉄；鋼等の鉄合金；等が好ましく、鋼が切れ味がよいことから特に好ましい。
また、皮すき部３１の材質は、ステンレス；鉄；鋼等の鉄合金；硬質樹脂；等が好ましく、ステンレスが錆びずに直線部５３では切れ味として充分であることから特に好ましい。
また、把持部４１の材質は、ステンレス、樹脂、木等が好ましく、樹脂が軽くて錆びないために特に好ましい。
【００６７】
本発明の切開用具１１は、１８リットル缶等５１の上面を切るためのものであれば、該１８リットル缶等５１の種類は特に限定されず、例えば、溶接缶、アトロン缶、ハイブリッド缶、エフティー缶、イービー缶等、何れでもよく、該１８リットル缶等５１の内容液も特に限定はされない。
【００６８】
本発明における内容液は特に限定はないが、本発明の切開用具１１は、突刺し部２１の刃２２が内容液に浸らないように１８リットル缶等５１のコーナー部５２を切開するために好適な形態をしているものであるので、該内容液は、該内容液が該刃２２に付着したときに障害になるものであることが、本発明の効果を十分に発揮する点からより好ましい。
従って、本発明の切開用具１１は、「化学品製造業界、建設業界、食品業界等の全ての業界で、刃の浸漬が内容液を汚したり、逆に内容液が刃に付着して刃を汚したり（刃に固着する、刃の拭き取りが面倒等）することを避けたい内容液」が入った１８リットル缶等５１の上面を切るためのものであることが好ましい。
中でも、内容液としては、硬化性樹脂又は硬化性樹脂の溶液（その中でも更に、ウレタン塗膜防水材料）であることが、該内容液が刃２２に付着したときに問題になり、その点で本発明の前記効果を十分に発揮するので特に好ましい。本発明の切開用具１１は、硬化性樹脂又は硬化性樹脂の溶液を収納した１８リットル缶等５１の上面を切るためのものであることが好ましい。
【００６９】
硬化性樹脂又は硬化性樹脂の溶液としては、特に限定はないが、屋上等の防水加工用等の硬化性塗料が、年間の使用量や１つの現場での使用量が多く、本発明の速く容易に切開できる特徴が生かし易いために好ましい。
また、屋上等の防水加工用等の硬化性塗料は、特に硬化したときの接着力が強く、刃２２に付着したときに除去し難いので、本発明における突刺し部２１の刃先２４が内容液に浸らないという特徴が生かし易いために好ましい。
【００７０】
該硬化性樹脂又は硬化性樹脂の溶液としては、１液タイプのものも、２液混合タイプのものも含まれ、粉末の硬化剤を配合するタイプのものも含まれる。
更に、ウレタン硬化性樹脂であることが、屋上等の防水加工用等の硬化性塗料として汎用的であるため、１８リットル缶等５１の使用量が多いため特に好ましい。
【産業上の利用可能性】
【００７１】
本発明の１８リットル缶等５１の切開用具１１は、シンプルな形態を有しているため、従来の皮すきの使用に慣れた（熟練）作業者にも広く受け入れられ、また熟練した作業者でなくても、刃２２を内用液に漬けずに奇麗にコーナー部５２が切れるため、屋上等の防水加工等の建築分野、建築再生分野等に特に広く利用されるものである。
【符号の説明】
【００７２】
１１：切開用具
２１：突刺し部
２２：刃
２３：ストッパー部
２４：刃先
２５：円柱
２６：直線部切開刃
３１：皮すき部
３２：皮すき部刃
３３：固定ボルトナット
３４：皮すき部固定部
４１：把持部
４２：中心軸
４３：握止
５１：１８リットル缶等
５２：コーナー部
５３：直線部
６１：切開穴
Ｈ：刃の高さ
α：刃の根元の両脇を円柱の中心から見込む角度
β：直線部切開刃を見込む角度
ｒ：円柱の半径
【図１】
2016222282.tif 000004
【図２】
2016222282.tif 000005
【図３】
2016222282.tif 000006
【図４】
2016222282.tif 000007
【図５】
2016222282.tif 000008
【図６】
2016222282.tif 000009
【図７】
2016222282.tif 000010